【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
記録媒体に記録されている字幕ストリームと、ビデオストリームとを同期して再生する再生装置であって、
前記記録媒体には、前記ビデオストリームと同期して再生すべき字幕ストリームと、プレイリスト情報とが更に記録されており、
前記プレイリスト情報は、再生区間情報と、表示方式フラグとを含み、
前記再生区間情報は、前記ビデオストリームの再生時間軸における再生開始点であるインタイムを示す情報、及び、再生終了点であるアウトタイムを示す情報を用いて再生区間を定義する情報であり、第１のストリーム情報テーブルとを含み、
前記表示方式フラグは、前記再生区間における立体視表示方式による字幕の表示を有効とするか否かを示し、
前記第１のストリーム情報テーブルは、前記再生区間において前記字幕を平面表示する場合に用いる、平面表示用の字幕ストリームを示し、
前記表示方式フラグが、前記再生区間における立体視表示方式による字幕の表示を有効とすることを示す場合、前記プレイリスト情報は、更に第２のストリーム情報テーブルを含み、前記第２のストリーム情報テーブルは、前記再生区間において前記字幕の立体視表示に用いるレフトビュー用の字幕ストリームおよびライトビュー用の字幕ストリームを示し、
前記再生装置は、
装置におけるコンフィグレーション情報を格納するコンフィグレーション格納部と、    当該再生装置と接続する表示装置から前記表示装置が立体視表示できるかどうかを示す情報を取得する取得手段と、
前記コンフィグレーション情報において、前記立体視表示方式による前記字幕の再生を有効にするかが設定されているかどうかの判定、および前記取得手段が取得した情報から前記表示装置が立体視表示できるかどうかの判定を行う判定手段と、
前記判定手段が前記立体視表示方式による前記字幕の再生を有効にする設定がされていると判定し、かつ前記表示装置が前記立体視表示できると判定した場合であって、かつ前記表示フラグが前記再生区間における立体視表示方式による字幕の表示を有効とすることを示していれば、前記第２のストリーム情報テーブルが示す前記立体視表示に用いる字幕ストリームをビデオストリームと同期すべき字幕ストリームとして選択し、前記判定手段が前記立体視表示方式による前記字幕の再生を有効にする設定がなされていないと判定するか、前記表示装置が前記立体視表示できないと判定した場合、前記第１のストリーム情報テーブルが示す前記平面表示用の字幕ストリームを前記ビデオストリームと同期すべき字幕ストリームとして選択する選択手段と、
前記選択された字幕ストリームと、前記ビデオストリームとを再生する再生手段と
を備える再生装置。
【請求項２】
前記字幕の立体視表示方式は、前記ライトビュー用の字幕ストリームから得られるライトビュー用の字幕、前記レフトビュー用の字幕ストリームから得られるレフトビュー用の字幕を交互に表示装置に出力することで、前記字幕の立体視を実現する請求項１記載の再生装置。
【請求項３】
前記第２のストリーム情報テーブルは、拡張データとして前記プレイリスト情報に含まれる請求項１記載の再生装置。
【請求項４】
記録媒体に記録されている字幕ストリームと、ビデオストリームとを同期して再生する処理をコンピュータ上で実行する再生方法であって、
前記記録媒体には、前記ビデオストリームと同期して再生すべき字幕ストリームと、プレイリスト情報とが記録されており、
前記プレイリスト情報は、再生区間情報と、表示方式フラグとを含み、
前記再生区間情報は、前記ビデオストリームの再生時間軸における再生開始点であるインタイムを示す情報、及び、再生終了点であるアウトタイムを示す情報を用いて再生区間を定義する情報であり、第１のストリーム情報テーブルとを含み、
前記表示方式フラグは、前記再生区間における立体視表示方式による字幕の表示を有効とするか否かを示し、
前記第１のストリーム情報テーブルは、前記再生区間において前記字幕を平面表示する場合に用いる、平面表示用の字幕ストリームを示し、
前記表示方式フラグが、前記再生区間における立体視表示方式による字幕の表示を有効とすることを示す場合、前記プレイリスト情報は、更に第２のストリーム情報テーブルを含み、前記第２のストリーム情報テーブルは、前記再生区間において前記立体視表示方式に用いるレフトビュー用の字幕ストリームおよびライトビュー用の字幕ストリームを示し、
前記コンピュータは、コンフィグレーション情報を格納するコンフィグレーション格納部を備え、
当該コンピュータと接続する表示装置から前記表示装置が立体視表示できるかどうかを示す情報を取得する取得ステップと、
前記コンピュータにおけるコンフィグレーション情報において、前記立体視表示方式による前記字幕の再生を有効にするかが設定されているかどうかの判定、および前記取得ステップが取得した情報から前記表示装置が立体視表示できるかどうかの判定を行う判定ステップと、
前記判定ステップが前記立体視表示方式による前記字幕の再生を有効にする設定がされていると判定し、かつ前記表示装置が前記立体視表示できると判定した場合であって、かつ前記表示フラグが前記再生区間における立体視表示方式による字幕の表示を有効とすることを示していれば、前記第２のストリーム情報テーブルが示す前記立体視表示に用いる字幕ストリームをビデオストリームと同期すべき字幕ストリームとして選択し、前記判定ステップが前記立体視表示方式による前記字幕の再生を有効にする設定がなされていないと判定するか、前記表示装置が前記立体視表示できないと判定した場合、前記第１のストリーム情報テーブルが示す前記平面表示用の字幕ストリームを前記ビデオストリームと同期すべき字幕ストリームとして選択する選択ステップと、
前記選択されたグラフィクス字幕ストリームと、前記ビデオストリームとを再生する再生ステップと
を含む再生方法。
【手続補正２】
【補正対象書類名】明細書
【補正対象項目名】発明の名称
【補正方法】変更
【補正の内容】
【発明の名称】再生装置、再生方法
【手続補正３】
【補正対象書類名】明細書
【補正対象項目名】０００９
【補正方法】変更
【補正の内容】
【０００９】
本発明の目的は、グラフィクス字幕ストリームのデータ構造の互換を維持しつつも、再生装置の処理能力やユーザの年齢層に応じた字幕の表示方式の変化を実現することができる、再生装置を提供することである。
【手続補正４】
【補正対象書類名】明細書
【補正対象項目名】００１０
【補正方法】変更
【補正の内容】
【００１０】
上記課題を解決するため、本発明にかかる再生装置は、記録媒体に記録されている字幕ストリームと、ビデオストリームとを同期して再生する再生装置であって、
前記記録媒体には、前記ビデオストリームと同期して再生すべき字幕ストリームと、プレイリスト情報とが更に記録されており、
前記プレイリスト情報は、再生区間情報と、表示方式フラグとを含み、
前記再生区間情報は、前記ビデオストリームの再生時間軸における再生開始点であるインタイムを示す情報、及び、再生終了点であるアウトタイムを示す情報を用いて再生区間を定義する情報であり、第１のストリーム情報テーブルとを含み、
前記表示方式フラグは、前記再生区間における立体視表示方式による字幕の表示を有効とするか否かを示し、
前記第１のストリーム情報テーブルは、前記再生区間において前記字幕を平面表示する場合に用いる、平面表示用の字幕ストリームを示し、
前記表示方式フラグが、前記再生区間における立体視表示方式による字幕の表示を有効とすることを示す場合、前記プレイリスト情報は、更に第２のストリーム情報テーブルを含み、前記第２のストリーム情報テーブルは、前記再生区間において前記字幕の立体視表示に用いるレフトビュー用の字幕ストリームおよびライトビュー用の字幕ストリームを示し、
前記再生装置は、
装置におけるコンフィグレーション情報を格納するコンフィグレーション格納部と、  
当該再生装置と接続する表示装置から前記表示装置が立体視表示できるかどうかを示す情報を取得する取得手段と、
前記コンフィグレーション情報において、前記立体視表示方式による前記字幕の再生を有効にするかが設定されているかどうかの判定、および前記取得手段が取得した情報から前記表示装置が立体視表示できるかどうかの判定を行う判定手段と、
前記判定手段が前記立体視表示方式による前記字幕の再生を有効にする設定がされていると判定し、かつ前記表示装置が前記立体視表示できると判定した場合であって、かつ前記表示フラグが前記再生区間における立体視表示方式による字幕の表示を有効とすることを示していれば、前記第２のストリーム情報テーブルが示す前記立体視表示に用いる字幕ストリームをビデオストリームと同期すべき字幕ストリームとして選択し、前記判定手段が前記立体視表示方式による前記字幕の再生を有効にする設定がなされていないと判定するか、前記表示装置が前記立体視表示できないと判定した場合、前記第１のストリーム情報テーブルが示す前記平面表示用の字幕ストリームを前記ビデオストリームと同期すべき字幕ストリームとして選択する選択手段と、
前記選択された字幕ストリームと、前記ビデオストリームとを再生する再生手段と
を備えることを特徴としている。
【手続補正５】
【補正対象書類名】明細書
【補正対象項目名】００１１
【補正方法】変更
【補正の内容】
【００１１】
プレイリスト情報における第１、第２のストリーム情報テーブルは、複数の字幕ストリームのうちどれを選択させるべきかを再生装置に指示するので、互換性の維持のため、たとえ字幕ストリームに組込まれる制御情報の内容が、従来のものと同一の内容であるとしても、様々な字幕ストリームが記録媒体に記録されて、再生装置に提供されさえすれば、再生装置のコンフィグレーションに応じて、これら様々な字幕ストリームの何れかを再生装置に選択させることで、特有の表示方式に応じた字幕表示を、再生装置に実行させることができる。複数の字幕ストリームの中から、有効となる表示方式に応じて、字幕ストリームを選択するという処理により、特色ある字幕表示を実現するので、制御情報に変動をもたらす必要はない。